(57)【要約】  本発明は、無線電話網における数人のユーザ間でのＰＴＴモード（プッシュツートーク）電気通信システムに関し、ＰＴＴセッションに参加するために各ユーザによって用いられる電気通信サービス品質のレベルとの相関関係において、かつ前記セッションに参加するために必要な予め定められた電気通信サービス品質のレベルとの相関関係において、ＰＴＴセッションに参加して話す権利を決定することができる管理モジュール（２６）を備えている。
2008546296.tif 000002
【特許請求の範囲】
【請求項１】
電気通信システムにおいて、
・プッシュツートークセッションに参加するためにユーザの制御下で使用可能な無線端末（６〜８）と、
・無線ネットワークを介して端末に接続されたプッシュツートークサーバ（１４）とを備えていて、このサーバは、前記プッシュツートークセッションを管理するように適合されていて、
・このシステムは、利用可能または選択されたサービスの品質のレベルとの相関関係において、かつ前記プッシュツートークセッションのために予め定められたサービスの品質のレベルとの相関関係において、前記プッシュツートークセッションのセットアップの間、前記プッシュツートークセッションへの制限された参加のモードを選択するように適合された管理モジュール（２６；１００）を備えていることを特徴とする電気通信システム。
【請求項２】
前記制限された参加モードは、ユーザが、前記プッシュツートークセッションの間、話すことを禁止することを特徴とする請求項１に記載のシステム。
【請求項３】
前記制限された参加モードにおいては、もし利用可能または選択されたサービスの品質のレベルが前記プッシュツートークセッションのために予め定められたレベルより低いのであれば、前記プッシュツートークセッションへの参加者のグループの定義にユーザを加えることを禁止することを特徴とする請求項１に記載のシステム。
【請求項４】
電気通信システムの中で用いられるように適合された管理モジュール（２６；１００）において、それは、利用可能または選択されたサービスの品質のレベル、およびプッシュツートークセッションのために予め定められたサービスの品質のレベルとの相関関係において、前記プッシュツートークセッションのセットアップの間、前記プッシュツートークセッションへの制限された参加のモードを選択するように適合されていることを特徴とする管理モジュール。
【請求項５】
プッシュツートークサーバにおいて、それは、プッシュツートークセッションに参加しようとしているユーザの端末に、予め定められたサービスの品質のレベルを送信するように適合されていることを特徴とするプッシュツートークサーバ。
【請求項６】
電気通信システム（８０）の中で用いられるように適合されたグループ管理サーバ（８２）において、それは、プッシュツートークセッションへの参加者のグループの定義を作成するように適合されていて、前記定義は、予め定められたサービスの品質のレベルを含んでいることを特徴とするグループ管理サーバ。
【請求項７】
通信方法において、
・プッシュツートークセッションに参加するためにユーザの制御下で使用可能な無線端末（６〜８）と、
・無線ネットワークを介して端末に接続されたプッシュツートークサーバ(１４)とを備えていて、このサーバは、前記プッシュツートークセッションを管理するように適合されていて、
・この方法は、利用可能または選択されたサービスの品質のレベル、および前記プッシュツートークセッションのために予め定められたサービスの品質のレベルとの相関関係において、前記プッシュツートークセッションのセットアップの間、前記プッシュツートークセッションへの制限された参加のモードを選択するステップ（６０；１２４，１４２）を有していることを特徴とする通信方法。
【請求項８】
前記制限された参加モードは、ユーザが、プッシュツートークセッションの間、話すことを禁止することを特徴とする請求項７に記載の方法。
【請求項９】
前記制限された参加モードは、もし前記セッションに参加するために利用可能または選択されたサービスの品質のレベルが予め定められたレベルより低いのであれば、前記プッシュツートークセッションへの参加者のグループの定義にユーザを加えることを禁止することを特徴とする請求項７に記載の方法。
【請求項１０】
コンピュータプログラムにおいて、それは、命令を含んでいて、前記命令は、コンピュータによって実行される時に、請求項７から９のうちのいずれか一項に記載の方法を実行することを特徴とするコンピュータプログラム。
【請求項１１】
管理モジュール（１００）を備えているサーバ（１４）において、前記モジュールは、利用可能または選択されたサービスの品質のレベル、および前記プッシュツートークセッションのために予め定められたサービスの品質のレベルとの相関関係において、前記プッシュツートークセッションのセットアップの間、プッシュツートークセッションへの制限された参加のモードを選択するように適合されていることを特徴とするサーバ。
【請求項１２】
管理モジュール（２６）を備えている端末（６〜８）において、前記モジュール（２６）は、利用可能または選択されたサービスの品質のレベル、および前記プッシュツートークセッションのために予め定められたサービスの品質のレベルとの相関関係において、前記プッシュツートークセッションのセットアップの間、プッシュツートークセッションへの制限された参加のモードを選択するように適合されていることを特徴とする端末。
【請求項１３】
前記モジュール（２６）は、メモリ（３０；８４）から前記サービスの品質のレベルを読み取るように適合されていることを特徴とする請求項１２に記載の端末（６，７，８）。
【発明の詳細な説明】
【技術分野】
【０００１】
本発明は、ＰＴＴモード電気通信方法およびシステム、前記システムのための管理モジュール、サーバ、プログラムおよびデータ記憶媒体に関する。
【背景技術】
【０００２】
簡単に言うと、ＰＴＴ（プッシュツートーク）モード通信システムまたは方法は、２人以上の参加者が彼らの電話端末をウォーキートーキーとして用いることができるＰＴＴセッションをセットアップする。そして、参加者間の接続は、半二重モードである。話すために、参加者Ａは、端末上のキーを押して、話している間、押し続ける。この間、他の参加者は、聞くことのみができる。参加者Ａがキーを放すと、その端末は、もはや他の参加者への送信を行わない。すると、他の参加者ＢまたはＣのいずれも、彼らの端末上の対応するキーを押すことによって話すことができる。
【０００３】
従来のＰＴＴモード通信システムは、
・プッシュツートーク（Push-To-Talk）セッションに参加するためにユーザの制御下で使用可能な無線端末と、
・無線ネットワークを介して端末に接続されたプッシュツートークサーバとを備えていて、このサーバは、前記プッシュツートークセッションを管理するように適合されている。
【０００４】
これらのシステムは正しく機能する。しかし、それぞれの参加者は、それぞれのアクセスネットワークおよび端末を用いるかもしれないので、その結果、それぞれの参加者によって利用可能または選択された電気通信サービスの品質レベルは、異なることがあり得る。電気通信サービスのユーザによって知覚される品質レベルは、話した言葉が端末およびアクセスネットワークによってどれくらい速くＰＴＴサーバに送られるか（しばしば、待ち時間と表現される：待ち時間が短いほど、話した言葉は速く送信される）、および／またはプッシュツートークセッションをセットアップするために必要な時間、または既にセットアップされたセッションの中で話すことが可能になるのに必要な時間といった、端末にユーザが話した言葉が劣化しないで再生されるための端末およびアクセスネットワークの能力として、ここで定義される。
【０００５】
これらの基準は、同時に、どのようにしてユーザがアプリケーションレベルでサービスの品質を知覚するかを示している。
【発明の開示】
【発明が解決しようとする課題】
【０００６】
ＰＴＴセッションの間、参加者ＡおよびＢは、非常に良い品質レベルを持つことができるが、同じＰＴＴセッションにおける参加者Ｃは、平凡な品質のレベルを持つかもしれない。このような状況で、参加者ＡおよびＢが、参加者Ｃが話しているのを聞いているとき、参加者Ｃが話した言葉は、ひどく再生され、長い待ち時間を有する可能性がある。なぜなら、それらは、参加者Ｃの端末およびアクセスネットワークを経由して送られるからである。従って、参加者ＡおよびＢは、彼らが高い品質のレベルに対する代金を払っている場合であっても、参加者Ｃが話しているとき、品質のレベルが低いと感じる。これは、参加者ＡおよびＢにとって不愉快である。
【０００７】
本発明は、ＰＴＴモード通信システムを提案することによって、この欠点を解消することを目的とする。それは、ＰＴＴセッションへの参加者が、各々の参加者によって用いられる電気通信サービスの異質な品質レベルの結果を、アプリケーションレベルで知覚することを避けることができる。
【課題を解決するための手段】
【０００８】
従って、本発明によるＰＴＴモード電気通信システムは、利用可能または選択されたサービスの品質のレベルとの相関関係において、かつ前記プッシュツートークセッションのために予め定められたサービスの品質のレベルとの相関関係において、前記プッシュツートークセッションのセットアップの間、前記プッシュツートークセッションへの参加が制限されたモードを選択するように適合された管理モジュールを備えている。
【０００９】
管理モジュールは、ＰＴＴセッションに参加するためにそのユーザによって利用可能または選択された品質のレベルとの相関関係において、ユーザの参加を制限することができる。すると、参加者のうちの１人によって用いられている電気通信サービスの品質レベルが低いことに他の参加者が気づいて不便を感じることが少ない。これは、ＰＴＴセッションを、他の参加者のために、よりユーザフレンドリにする。
【００１０】
一実施形態において、制限された参加モードは、ユーザが、前記プッシュツートークセッションの間、話すことを禁止する。これは、参加が制限されたユーザが話すことができないという利点がある。
【００１１】
このシステムの実施形態は、以下の特徴のうちの１つ以上を有していてもよい。
・前記禁止においては、話すことを禁止された前記ユーザが、プッシュツートークセッションへの参加者の話を聞くことは許可される。
・管理モジュールは、ユーザによって用いられる現在のサービスの品質のレベルを、予め定められたレベルと比較して、もし得られた現在の品質レベルが予め定められたレベルより低いのであれば、そのユーザが話すことを自動的に禁止するように適合されている。
・管理モジュールは、ユーザによって用いられる現在のサービスの品質のレベルを、予め定められたレベルと比較して、もし得られた現在の品質レベルが予め定められたレベルより低いのであれば、プッシュツートークセッションへの参加者のうちの１人によって送信される拒否命令に応じて、そのユーザが話すことを禁止するように適合されている。
・前記制限された参加モードは、もし利用可能または選択されたサービスの品質のレベルが前記プッシュツートークセッションのために予め定められたレベルより低いのであれば、プッシュツートークセッションへの参加者のグループの定義にユーザを加えることを禁止する。
【００１２】
このシステムの実施形態は、以下の利点を有している。
・話すことが不可能なＰＴＴセッションへの参加者の話を聞くことをユーザに許可することは、高い品質レベルを持っていない人々を全く排除してしまうことなく、参加者間での高い品質レベルを維持する。
・各ＰＴＴセッションをセットアップするときに、各ユーザによって利用可能または選択された現在の品質レベルを、予め定められたレベルと比較することは、ＰＴＴセッションに対するアクセスのための条件が各参加者に対して更新され得ることを意味する。
・ＰＴＴセッションへの参加者のグループにユーザを加えることを禁止することは、そのユーザが、そのＰＴＴセッションに参加することを防止する。
【００１３】
本発明は、更に、
・電気通信システムの中で用いられるように適合された管理モジュールにおいて、利用可能または選択されたサービスの品質のレベルとの相関関係において、かつ前記プッシュツートークセッションのために予め定められたサービスの品質のレベルとの相関関係において、前記プッシュツートークセッションのセットアップの間、プッシュツートークセッションへの制限された参加のモードを選択するように適合されていることを特徴とする。
・プッシュツートークサーバにおいて、それは、プッシュツートークセッションに参加しようとしているユーザの端末に、予め定められたサービスの品質のレベルを送信するように適合されていることを特徴とする。
・電気通信システムの中で用いられるように適合されたグループ管理サーバにおいて、それは、プッシュツートークセッションへの参加者のグループの定義を作成するように適合されていて、前記定義は、予め定められたサービスの品質のレベルを含んでいることを特徴とする。
【００１４】
本発明は、更に、以下のものを用いる通信方法を含む。
・プッシュツートークセッションに参加するためにユーザの制御下で使用可能な無線端末と、
・無線ネットワークを介して端末に接続されたプッシュツートークサーバとを備えていて、このサーバは、前記プッシュツートークセッションを管理するように適合されていて、
・この方法は、利用可能または選択されたサービスの品質のレベルとの相関関係において、かつ前記プッシュツートークセッションのために予め定められたサービスの品質のレベルとの相関関係において、前記プッシュツートークセッションのセットアップの間、前記プッシュツートークセッションへの制限された参加のモードを選択するステップを有していることを特徴とする。
【００１５】
この方法の実施態様は、以下の特徴のうちの１つ以上を有していていもよい。
・前記制限された参加モードは、ユーザが、プッシュツートークセッションの間、話すことを禁止する。
・前記禁止においては、話すことを禁止された前記ユーザが、プッシュツートークセッションに参加している他のユーザの話を聞くことは許可される。
この方法は、以下のステップを有している。
・ユーザによって用いられる現在のサービスの品質のレベルを、予め定められたレベルと比較するステップ
・もし現在の品質レベルが予め定められたレベルより低いのであれば、制限された参加モードを自動的に選択するステップ
この方法は、以下のステップを有している。
・ユーザによって用いられる現在のサービスの品質のレベルを、予め定められたレベルと比較するステップ
・もし現在の品質レベルが予め定められたレベルより低いのであれば、プッシュツートークセッションへの参加者のうちの１人によって送信される拒否命令に応じて、制限された参加モードが実行されることを選択するステップ
・前記制限された参加モードは、もし前記セッションに参加するために利用可能または選択されたサービスの品質のレベルが、予め定められたレベルより低いのであれば、前記プッシュツートークセッションへの参加者のグループの定義にユーザを加えることを禁止する。
【００１６】
本発明は、更に、以下のものを含む。
・コンピュータプログラムにおいて、それは、命令を含んでいて、前記命令は、コンピュータによって実行される時に、上記のような方法を実行することを特徴とする。
・管理モジュールを備えているサーバにおいて、前記モジュールは、利用可能または選択されたサービスの品質のレベルとの相関関係において、かつ前記プッシュツートークセッションのために予め定められたサービスの品質のレベルとの相関関係において、前記プッシュツートークセッションのセットアップの間、プッシュツートークセッションへの制限された参加のモードを選択するように適合されていることを特徴とする。
・管理モジュールを備えている端末において、前記モジュールは、利用可能または選択されたサービスの品質のレベルとの相関関係において、かつ前記プッシュツートークセッションのために予め定められたサービスの品質のレベルとの相関関係において、前記プッシュツートークセッションのセットアップの間、プッシュツートークセッションへの制限された参加のモードを選択するように適合されていることを特徴とする。
・上記のような端末において、前記モジュールは、メモリから前記サービスの品質のレベルを読み取るように適合されていることを特徴とする。
【００１７】
本発明は、例示のみのために与えられた、以下の説明を、図面を参照しながら読むことで、よりよく理解され得る。
【発明を実施するための最良の形態】
【００１８】
図１は、セルラー無線電話網に基づくＰＴＴモード電気通信システム２を表している。ＰｏＣ（セルラー上でのプッシュツートーク）システムとして知られた、これらのシステムの一般的アーキテクチャが、例えば、ＯＭＡ（オープンモバイルアライアンス）によって作成された草案規格の中に開示されている。これらのシステムは、セッションイニシエーションプロトコル（ＳＩＰ）およびリアルタイムプロトコル（ＲＴＰ）に基づく。
【００１９】
図１は、本発明を理解するために必要な要素だけを示している。
【００２０】
システム２は、ＰＴＴセッションに参加するために用いることができる複数の無線電話端末６、７、８を含んでいる。
【００２１】
ここで、実例として、端末６〜８の各々は、それぞれのアクセスネットワーク１０〜１２を介してＰＴＴサーバ１４に接続されている。
【００２２】
ネットワーク１０は、３Ｇ（第３世代）携帯電話ネットワーク、例えばＵＭＴＳ（Universal Mobile Telecommunications System）ネットワークである。
【００２３】
ネットワーク１１は、２Ｇ（第２世代）無線電話ネットワーク、例えばＧＳＭ（Global System for Mobile communications）ネットワークである。
【００２４】
ネットワーク１２は、無線ローカルエリアネットワーク、例えばＷｉＦｉネットワークである。
【００２５】
コアネットワークは、図１に示されていない。
【００２６】
端末とそのアクセスネットワークの組合せは、ここではサーバ１４に対するアクセス手段として示されている。図１は、それぞれ端末６とネットワーク１０の組合せ、端末７とネットワーク１１の組合せ、および端末８とネットワーク１２の組合せに対応しているアクセス手段１６〜１８を示している。
【００２７】
サーバ１４は、セットアップおよび端末間でのＰＴＴセッションの実施を管理する。
【００２８】
特に、ここでは、それは、ＰＴＴセッションへの参加者の端末間における半二重モードでの通信を管理するための制御モジュール２０を備えている。このモジュール２０の機能は、図２を参照して更に詳細に説明される。
【００２９】
例えば、サーバ１４は、情報記憶媒体に保存された命令を実行することが可能な、従来のプログラム可能なコンピュータに基づいている。このため、サーバ１４に接続されたメモリ２２は、それらの命令がサーバ１４によって実行される時に図２の方法を実行するための命令を含んでいる。
【００３０】
端末６〜８は、同一であるので、例えば、端末６のみについて詳述する。
【００３１】
例えば、端末６は、キーパッドおよびスクリーンの形でマン/マシンインターフェイス２４を備えた携帯電話である。
【００３２】
端末６は、更に、ＰＴＴセッションの間に話すために押され得る端末６のキー２８と結合されたＰＴＴセッション管理モジュール２６を備えている。モジュール２６は、そのユーザによって用いられるアクセス手段の品質レベル、および遅くともＰＴＴセッションをセットアップする時には前もって定められている品質レベルとの相関関係において、ＰＴＴセッションへのユーザの参加を制限することができる。
【００３３】
例えば、端末６は、情報記憶媒体に保存された命令を実行可能な、従来のプログラム可能なコンピュータにも基づいている。このため、それは、それらの命令が電子コンピュータによって実行される時に図２の方法を実行するための命令を含んでいるメモリ３０を備えている。
【００３４】
実例として、ＰＴＴセッションに参加するためにユーザによって利用可能または選択された品質レベルは、メモリ３０に保存される。
【００３５】
ユーザによって知覚される品質レベルは、特に、利用可能なアクセスネットワーク（パケット交換ネットワーク、回線交換ネットワークなど）、およびアクセスネットワークの中で用いられる利用可能なサービスの品質のプロフィール（例えばＵＭＴＳクラスのサービスの品質）と相関関係がある。
【００３６】
アプリケーションレベルでの数種類のサービスの品質のレベルが用いられ得る。
・ユーザに対して彼らの契約（subscription）によって（従ってユーザがオペレータと共に取得する契約のオプション、例えば、事業用、消費者用、高級用などに応じて）許可される最高品質レベル
・ユーザによって彼らの端末を介して、または反対にユーザが何も指示しなかった場合にはユーザの契約の特性に基づくデフォルトによって、ＰＴＴセッションをセットアップする時に定められる品質レベル
・ユーザの契約および更に利用可能なアクセスネットワーク、利用可能なネットワーク資源、端末の種類などに応じて、現在の時間ｔに利用可能な品質レベル
・参加者を管理するためにグループに割り当てられる品質レベル
【００３７】
システム２の動作を、図２に示した方法を参照して以下で説明する。ここでは、端末６のユーザＡは、それぞれ、端末７および８のユーザＢおよびＣと、ＰＴＴモードで通信することを望んでいる。
【００３８】
プロセスは、ＰＴＴセッションへの参加者のグループを構成する段階４０から開始される。
【００３９】
この段階４０の中のステップ４２において、ユーザＡは、ＡがＰＴＴセッションに参加してもらいたいと望むユーザの電話番号を選択する。ここで、端末７および８の電話番号が選択されるものと仮定する。
【００４０】
次に、ステップ４４において、モジュール２６は、ＰＴＴセッションへの参加者によって用いられるアクセス手段のために、最小限の予め定められた電気通信サービス品質レベルを選択する。ここで、その予め定められたレベルが、ユーザＡの契約に関する情報に基づいて、モジュール２６によって自動的に選択される。代替案として、予め定められたレベルが、マン/マシンインターフェイス２４を介して端末６によって得られてもよい。この予め定められたレベルに対する更なる代替案は、デフォルトでユーザＡによって用いられるアクセス手段１６の現在の品質レベルに等しくされることである。
【００４１】
ステップ４６において、制限された参加モードが、モジュール２６によって選択される。ここで、それは、ユーザＡの契約に関する情報との相関関係において、モジュール２６によって自動的に選択される。それは、その代わりに、インターフェイス２４を介して得ることもできる。
【００４２】
制限された参加モードは、もし彼らが、電気通信サービス品質レベルが予め定められた品質レベルより低いアクセス手段を用いているのであれば、どれくらいの頻度で、どれくらいの長さの間、参加者が話すことができるかを制限する。
【００４３】
ここで、選択された制限された参加モードは、参加者は聞くことのみができて全く話すことはできないモードであると仮定する。
【００４４】
そして、参加者Ａ〜Ｃ間でのＰＴＴセッションをセットアップする段階５０が実行される。
【００４５】
この段階５０の中のステップ５２において、端末６は、サーバ１４に、電話端末間での電気通信接続をセットアップするために用いられるシグナリングプロトコルである規格化されたセッション初期化プロトコル（ＳＩＰ）の「ＳＩＰ招待」命令を送信する。
【００４６】
「ＳＩＰ招待」命令は、用いられるべき媒体、コーデック及び帯域幅、予め定められた品質レベル、並びにステップ４４及び４６の間に選択された制限された参加モードの識別子を指定する情報も含んでいる。この付加的情報、すなわち予め定められた品質レベルおよび制限された参加モードの識別子は、「ＳＩＰ招待」命令のヘッダまたは本体の中に含まれている。
【００４７】
ステップ５４において、サーバ１４は、それぞれアクセスネットワーク１１および１２を介して端末７および８に「ＳＩＰ招待」命令を転送する。端末７および８の各々のモジュール２６は、アクセス手段１７、１８に対して利用可能または選択された品質レベルを、ステップ５６で受信した予め定められたレベルと比較する。このため、利用可能または選択された品質レベルは、例えば、メモリ３０の中の利用可能または選択された品質レベルを読み取るモジュール２６によって前もって取得される。
【００４８】
ここで、アクセス手段１７の品質レベルは、予め定められたレベルより高いと仮定する。その結果、端末７は、自動的にステップ５８へ進み、その中で、サーバ１４と通信するためにネットワーク１１を選択する。
【００４９】
例えば、アクセス手段１８は、受信された予め定められた品質レベルより低い品質レベルを有していると仮定する。その結果、ステップ６０において、端末８のモジュール２６は、セットアップされるＰＴＴセッションへのユーザＣの参加を自動的に制限する。例えば、モジュール２６は、その端末のキー２８を作動しないようにすることによって、端末８をそのユーザが話すことができないように設定する。
【００５０】
そして、ステップ６２において、端末７および８は、それらがユーザＡによって始められたＰＴＴセッションに参加するであろうことを、サーバ１４に「ＳＩＰ ２００ ＯＫ」命令を送信することによって確認する。
【００５１】
これに応じて、ステップ６４で、サーバ１４は、ユーザＢよびＣの参加を確認するために、端末６に「ＳＩＰ ２００ ＯＫ」命令を送信する。
【００５２】
一旦ＰＴＴセッションがユーザＡ〜Ｃの間でセットアップされると、彼らは、セッションの参加者になって、ＰＴＴモードでの会話の段階７０に参加することができる。
【００５３】
例えば、段階７０の始めのステップ７２で、参加者Ａは、話すためにキー２８を押して、彼らが話し続ける間、それが押し下げられた状態を保つ。
【００５４】
すると、彼らの言葉は、ネットワーク１０，１１および１２を介して端末７および８に送信される。ステップ７２の間、参加者ＢおよびＣは、聞くことのみができる。
【００５５】
参加者Ａが話し終わると、彼らはキー２８を放す。
【００５６】
すると、次に、参加者Ｂが、ステップ７４で、端末７上のキー２８を押すことによって、話すことが可能になる。
【００５７】
これに対して、たとえ端末８上のキー２８を正しい時間に押したとしても、端末８のモジュール２６は、参加者Ｃが話すことを防止する。
【００５８】
従って段階７０の間、参加者ＡおよびＢは、半二重リンクを用いて交互にのみ話すことができ、一方、参加者Ｃは、参加者ＡまたはＢが話す言葉を聞くことのみができる。
【００５９】
図３は、他のＰＴＴモード電気通信システム８０を表しているが、これは、グループ管理サーバ８２と、それぞれサーバ８２およびＰＴＴサーバ１４と結合されたメモリ８４、８６とがある点が、システム２と異なる。
【００６０】
図１に関して既に説明した図３の中の要素には、同じ参照番号を付してある。新たな要素のみ詳述する。
【００６１】
サーバ８２は、ＰＴＴセッションへの参加者のグループの定義を作成して管理するように適合されている。このため、それは、グループ管理モジュール８７を備えている。サーバ８２は、メモリ８４に接続されている。
【００６２】
メモリ８４は、グループの定義を含んでいる。周知の特性に関して、これらのグループ定義は、例えば、その定義の標準要素に関してOMA (OMA TS PoC XDM)によって指定された文書PoC XDM (XML Document Management)に記載されたものに一致する。
【００６３】
グループＸの定義８８は、更に、このグループの識別子９０と、このグループへの参加者のリスト９１とを含んでいる。ここで、定義８８は、更に、アクセス手段が提供しなければならない予め定められた品質レベルを含んでいるフィールド９２と、制限された参加モードの識別子または定義９３とを有している。
【００６４】
メモリ８６は、サーバ１４に接続されていて、システム８０の各ユーザに関連してユーザがＰＴＴセッションに参加するために用いるアクセス手段の品質レベルを含んでいるデータベース９６を有している。データベース９６に格納されるその品質レベルは、例えば、ユーザの契約の特性との相関関係において、事前に定められる。
【００６５】
制御モジュール２０に加えて、サーバ１４は、管理モジュール１００を有していて、その機能は、図４に関する説明を読むことで明らかになる。
【００６６】
システム８０の動作を、アクセス手段１６〜１８を用いてＰＴＴセッションをセットアップする特定の状況における図４に示した方法を参照して以下で説明する。
【００６７】
最初に、段階１１０において、参加者の１以上のグループが設定されなければならない。ここで、参加者の初期グループは、PoC XDM文書に記載された通りに既に作成されていると仮定する。
【００６８】
ステップ１１２において、グループＸのマネージャは、サーバ１４に、ユーザＡに対してグループＸに加わることの要請を送信する。その要請は、グループＸの識別子を含んでいる。
【００６９】
ステップ１１４において、モジュール１００は、グループＸと関連した予め定められた品質レベルを得るために、サーバ８２に問い合わせを行う。
【００７０】
ステップ１１６において、サーバ８２は、モジュール１００に、グループＸの定義８８に含まれている予め定められた品質レベルを送信する。
【００７１】
そして、ステップ１１８において、モジュール１００は、データベース９６中のユーザＡに関する品質レベルを、送信された予め定められたレベルと比較する。
【００７２】
もしデータベース９６中のユーザＡに関する品質レベルが、送信された予め定められたレベルより高いのであれば、ステップ１２０において、サーバ１４は、サーバ８２に、ユーザＡをグループＸの定義８８のリスト９１に加える命令を送信する。そして、サーバ８２は、これに従ってグループＸの定義を修正し、ユーザＡをリスト９１に組み込む。
【００７３】
ステップ１２０の後のステップ１２２において、サーバ１４は、グループＸのマネージャに、グループＸのメンバーとしてのユーザＡの登録の確認を送信する。
【００７４】
もしユーザＡに関する品質レベルが、送信された予め定められたレベルより低いのであれば、ステップ１２４において、モジュール１００は、ユーザＡをグループＸの定義のリスト９１に加えることを禁止する。その後、ステップ１２６において、サーバ１４は、グループＸのマネージャに、登録の拒絶を送信する。
【００７５】
以下、ユーザＡがグループＸのメンバーのリスト９１に加えられたと仮定する。
【００７６】
後に、リスト９１上のユーザの誰かが、グループＸの中の様々な参加者間でのＰＴＴセッションをセットアップする段階１３０を始めることができる。
【００７７】
例えば、ステップ１３２において、参加者Ａは、端末６を用いて、セットアップされるセッションの様々なパラメータに加えてグループＸの識別子９０を含んでいるサーバ１４に「ＳＩＰ招待」命令を送信する。
【００７８】
そして、ステップ１３４において、サーバ１４は、サーバ８２と交信して、予め定められた品質レベル、および、制限された参加モードの識別子または定義と共に、リスト９１上の様々な参加者のアドレス（すなわち、ここでの例では、電話番号）を回復させる。
【００７９】
ステップ１３６において、モジュール２０は、リスト９１上の各々の参加者に「ＳＩＰ招待」命令を送信する。このＳＩＰ招待メッセージは、特に、予め定められた品質レベル９２と、ステップ１３４において回復された制限された参加モードの識別子または定義９３とを含んでいる。
【００８０】
そして、ステップ１３８において、「ＳＩＰ招待」命令を受信した各々の端末の管理モジュールは、それ自身のアクセス手段の現在の品質レベルを、受信した予め定められたレベルと比較して、この比較の結果に応じてステップ１４０またはステップ１４２に進む。
【００８１】
ステップ１４０及び１４２並びに次のステップ１４４及び１４６は、例えば、それぞれステップ５８、６０、６２、及び６４と同一である。
【００８２】
一旦ＰＴＴセッションがセットアップされると、ＰＴＴモードへの参加者間での会話の段階１５０が始まる。この段階１５０は、例えば、段階７０と同一である。
【００８３】
上記のシステムおよび方法の多数の他の実施形態が可能である。例えば、予め定められた品質レベルおよび制限された参加モードの識別子または定義は、ＳＩＰを用いる代わりに、ＤＴＭＦトーンを用いて、端末とＰＴＴサーバ間で交換されてもよい。
【００８４】
端末は、ここでは携帯電話として記載した。しかし、それらは、その代わりに、コンピュータ、固定電話、携帯情報端末（ＰＤＡ）またはその他の無線電話端末であってもよい。
【００８５】
ＰＴＴサーバおよびグループ管理サーバの機能は、同一のサーバの中に組み込まれていてもよいし、多数のサーバに分散されていてもよい。
【００８６】
ここでは、制限された参加モードは、ＰＴＴセッションに参加するために用いたアクセス手段の品質レベルが、予め定められたレベルより低い場合にのみ、用いられている。しかし、逆に、ＰＴＴセッションへの全ての参加者によって用いられるアクセス手段の品質レベルを均質にするために、制限された参加モードを、予め定められたレベルより高い品質レベルを有するアクセス手段を用いているユーザに対してのみ、作動させてもよい。
【００８７】
代替案としては、制限された参加モードを用いずに、利用可能または選択された品質レベルと予め定められたレベルとの間に不一致がある場合には、ＰＴＴセッションへのユーザの参加を許可しない。
【００８８】
別の実施形態では、管理モジュールは、参加者ＡおよびＢに、ユーザＣが必要なサービスの品質を有していないことを警告して、プッシュツートークセッションへの前記ユーザの参加を、受け入れるべきか、または拒否するべきかを決めることを、彼らに任せるように適合されている。
【００８９】
もし参加者ＡまたはＢのうちの１人が、そのユーザの参加を拒否することを望むのであれば、ユーザＡまたはＢの制御下で、参加者ＡまたはＢの管理モジュール２６は、ユーザＣの管理モジュールに拒否命令を送信する。
【００９０】
この拒否命令のみに応じて、ユーザＣの管理モジュールは、そのユーザが話すことを禁止する。そして、ユーザＣは、ＰＴＴセッションから完全に除外されるか、または制限された参加モードでのみＰＴＴセッションに参加することを許可される。
【００９１】
セットアップ段階の間に実行されると記載した制限ステップは、その代わりに、各参加者のためにリアルタイムで測定かつ観察される現在の品質レベルに対して参加者に課される制限を適応させるために、全く同等に、会話段階の間に実行されてもよい。
【００９２】
代替案としては、図４の方法のステップ１３８、１４０、および１４２を省略して、制限ステップは、参加者のグループを構成する段階の間のみ、実行される。
【００９３】
ＰＴＴセッションへのユーザの参加を制限するように適合された管理モジュールは、各々の端末の中に実装されていてもよいし、ＰＴＴサーバの中に実装されていてもよい。全く同様に、クライアント/サーバアプリケーションの形で、一部分が端末の中に実装され、一部分がサーバ１４の中に実装されていてもよい。
【００９４】
ここでは、現在の電気通信サービス品質レベルは、メモリ３０内のそのレベルを読み取ることによって取得される。代替案としては、この現在の品質レベルは、ＰＴＴセッションをセットアップする時に測定することによって取得される。それは、例えば、モジュール２６によって測定される。
【図面の簡単な説明】
【００９５】
【図１】ＰＴＴモード電気通信システムの構成の概略図である。
【図２】ＰＴＴモード電気通信方法のフローチャートである。
【図３】他のＰＴＴモード電気通信システムの構成の概略図である。
【図４】他のＰＴＴモード電気通信方法のフローチャートである。
【符号の説明】
【００９６】
６〜８  無線電話端末
１４  ＰＴＴサーバ
２６  ＰＴＴセッション管理モジュール
【図１】
2008546296.tif 000003
【図２】
2008546296.tif 000004
【図３】
2008546296.tif 000005
【図４】
2008546296.tif 000006
【国際調査報告】
2008546296.tif 000007
2008546296.tif 000008
2008546296.tif 000009
2008546296.tif 000010